(57)【要約】【課題】インデックス画像が表示された状態であっても同一日付に撮影された撮影画像であることがユーザによって簡単に識別される画像再生装置を提供する。【解決手段】ＬＣＤモニタ１０９ａ上に記録メディアに記録された複数の撮影画像のサムネイル画像を、各サムネイル画像を表示枠で囲んで配列表示して、いわゆるインデックス画像を表示する。撮影画像に対応づけられた撮影日付に応じて異なる色の表示枠（図中同じハッチングは同一色）で各サムネイル画像を囲んで配列表示することで撮影日付の識別を容易なものとする。さらにコマ送り画像表示になっても同じ表示色を持つ表示枠で囲んで撮影画像を表示するようにしてコマ送りにおいても表示枠の色により撮影日付の識別を行ない易くする。【選択図】  図５
2006140732.tif 000002
【特許請求の範囲】
【請求項１】
それぞれが各撮影日付と対応づけられた複数の撮影画像が記録された、着脱自在な可搬型メモリが装填され該可搬型メモリに記録された撮影画像を表示画面上に再生表示する画像再生装置において、
前記表示画面上に、前記可搬型メモリに記録された複数の撮影画像のサムネイル画像を、各サムネイル画像を表示枠で囲んで配列表示するサムネイル画像表示部を備え、
前記サムネイル画像表示部が、撮影画像に対応づけられた撮影日付に応じて異なる色の表示枠で各サムネイル画像を囲んで配列表示するものであることを特徴とする画像再生装置。
【請求項２】
撮影日付が同一の撮影画像を一括して指定して該撮影日付が同一の撮影画像に同一の処理を施す一括操作部を備えたことを特徴とする請求項１記載の画像再生装置。
【請求項３】
前記一括操作部が、指定した、撮影日付が同一の撮影画像を一括して消去するものであることを特徴とする請求項２記載の画像再生装置。
【請求項４】
前記一括操作部が、指定した、撮影日付が同一の撮影画像を一括して消去不能にプロテクトするものであることを特徴とする請求項２記載の画像再生装置。
【請求項５】
前記一括操作部が、指定した、撮影日付が同一の撮影画像を一括してプリント予約するものであることを特徴とする請求項２記載の画像再生装置。
【請求項６】
前記サムネイル画像表示部により前記表示画面上に配列表示された複数のサムネイル画像の中から任意のサムネイル画像を選択する選択操作部と、
前記表示画面上に、前記選択操作部により選択されたサムネイル画像に対応する撮影画像を表示する撮影画像表示部とを備え、
前記撮影画像表示部が、前記選択操作部により選択されたサムネイル画像に対応する撮影画像を、該サムネイル画像を囲う表示枠の色と同一色の表示枠で囲って表示するものであることを特徴とする請求項１記載の画像再生装置。
【請求項７】
前記表示画面上に表示される撮影画像を順次コマ送りするコマ送り撮影部を備え、
前記撮影画像表示部は、コマ送りにより前記表示画面上に新たに表示する撮影画像を該撮影画像の撮影日付に応じた色の表示枠で囲って表示するものであることを特徴とする請求項６記載の画像再生装置。
【発明の詳細な説明】
【技術分野】
【０００１】
本発明は、それぞれが各撮影日付と対応づけられた複数の撮影画像が記録された、着脱自在な可搬型メモリが装填されその可搬型メモリに記録された撮影画像を表示画面上に再生表示する画像再生装置に関する。
【背景技術】
【０００２】
従来より表示画面を備えたデジタルカメラの中には画像再生装置の機能を備えたものが多い。このようにデジタルカメラが画像再生装置の機能を備えていると、画像ファイルが多数記録された、着脱自在な可搬型メモリをデジタルカメラに装填しておけば、装着された可搬型メモリに記録されている、多数の画像ファイルの中のいずれかの既撮影画像データに基づく既撮影画像をデジタルカメラが備える表示部の表示画面上に再生表示することができる。
【０００３】
このような既撮影画像の再生表示を行なう場合には、まず一番新しい撮影により得た画像データに基づく既撮影画像を表示画面上に表示するようにしておいて、さらに操作子の操作に応じてコマ送りしながら既撮影画像を次々と表示していくようなことを行なっている場合が多い。このようにしておくと、操作を行なって次々と画像を切り替えていくことで自分の見たい画像の画像検索などが簡単に行なえる。またコマ送りを行って既撮影画像を表示しているときにはその既撮影画像の撮影日付が表示画面上に表示されるので画像検索とともに撮影日付などの確認なども行なえる。
【０００４】
しかし、このような画像検索を行なう場合にメモリ内に記録されている、多数の画像ファイルそれぞれが持つ画像データに基づく画像を一枚一枚画面上に再生表示するようなことを行なっていくと、自分の見たい画像を見つけ出すまでに必要以上に時間が掛かってしまう。そこで記録メディアに記録されている撮影画像の属性データをグルーピングして、そのグルーピングに関する情報を例えば記録メディア内に予め記録しておき、その予め記録されていたグルーピング情報に基づいていち早く画像ファイルの検索を達成しようとするものもある（例えば特許文献１参照）。しかし画像ファイル内には元々撮影情報を持つヘッダがあり、そのヘッダを用いずに検索用のデータを別途記録するというのはあまり有効な手段とはいえない。
【０００５】
そこで、ヘッダ内に撮影画像の縮小画像であるサムネイル画像が記録されていることを利用して、複数のサムネイル画像（原画像の縮小画像）で構成されるインデックス画像を表示画面上に表示するようにして検索に要する時間を短縮しようとするものもある（例えば特許文献２参照）。この特許文献２のものでは、インデックス画像を表示するとともに、各サムネイル画像の下方に‘ぶれ’であるとか、‘露光オーバ’であるとかの撮影不良内容が表示されるようになっている。このようにしておくと、写真プリントを行なってもあまり良い写真にならない撮影画像がインデックス画像上で識別される。
【０００６】
図１は、特許文献２でも用いているインデックス画像と、インデックス画像の中のサムネイル画像のいずれかが指定されたときの撮影画像を示す図である。
【０００７】
図１（ａ）には、９つのマルチ画面に９つのサムネイル画像が表示された場合の例が示されており、また９つの画面の中の１つの画面を囲むように枠状のカーソルが表示されている例が示されている。この例では十字キーの右キーの操作に応じて表示画面上のカーソルを表示画面上に表示されている１ページ分のインデックス画像をラスタ走査するように移動させ端部のサムネイル画像まで移動したら次ページのインデックス画像に更新して次ページのインデックス画像をその表示画面上に表示するようなことを行なっている。さらにインデックス画像が更新された後においても、まだ操作子の操作が継続されている場合には、次ページのインデックス画像上をラスタ走査するようにカーソルを移動させるようにしている。
【０００８】
このように可搬型メモリの中にある他の画像の検索を行ないたいときには、例えば十字キーの右キーが操作され続けている間中、カーソルのラスタ走査的移動が繰り返されページ切り替えが行なわれていくことによってインデックス画像が次々と更新表示される。このようになっていると、例えば９つのサムネイル画像を見て自分の見たい画像ではないと思った場合には、十字キーを操作し続けることによって自分の見つけ出したい画像を手早く検索することができる。
【０００９】
しかし、インデックス画像が表示されると、上記コマ送りのときとは異なり撮影日付などの撮影情報が表示されていたとしても画像情報が小さくなりすぎてしまって視認し難い。このような場合に撮影日付などの撮影情報を確認したいときにはインデックス画像の中のいずれかのサムネイル画像を指定して図１（ｂ）に示すようにそのサムネイル画像に対応する撮影画像を表示画面に表示させ、撮影情報を視認しやすい程度の大きさにわざわざ拡大表示しなければならない。
【００１０】
ユーザの中には同一撮影日付に撮影された撮影画像を確認しながら、特定の撮影日付に撮影された撮影画像を消去したり、特定の撮影日付に撮影された撮影画像を写真プリントしたいと思う人もいる。
【特許文献１】特開２００２−１８７３２９号公報
【特許文献２】特開２００３−２４４６３８号公報
【発明の開示】
【発明が解決しようとする課題】
【００１１】
本発明は、上記事情に鑑み、インデックス画像が表示された状態であっても同一日付に撮影された撮影画像であることがユーザによって簡単に識別される画像再生装置を提供することを目的とする。
【課題を解決するための手段】
【００１２】
上記目的を達成する本発明の画像再生装置は、それぞれが各撮影日付と対応づけられた複数の撮影画像が記録された、着脱自在な可搬型メモリが装填され該可搬型メモリに記録された撮影画像を表示画面上に再生表示する画像再生装置において、
上記表示画面上に、上記可搬型メモリに記録された複数の撮影画像のサムネイル画像を、各サムネイル画像を表示枠で囲んで配列表示するサムネイル画像表示部を備え、
上記サムネイル画像表示部が、撮影画像に対応づけられた撮影日付に応じて異なる色の表示枠で各サムネイル画像を囲んで配列表示するものであることを特徴とする。
【００１３】
上記本発明の画像再生装置によれば、上記サムネイル画像表示部が、撮影画像に対応づけられた撮影日付に応じて異なる色の表示枠で各サムネイル画像を囲んで配列表示する。
【００１４】
なお、ここにいう撮影日付に応じた異なる色の表示枠とは、撮影月ごとに異なる表示色の表示枠であっても良いし、撮影週ごとに異なる表示色の表示枠であっても良いし、撮影日ことに異なる表示色の表示枠であっても、撮影時間ごとに異なる表示色の表示枠であっても良い。このように異なる表示色の表示枠に囲まれた各サムネイル画像が配列表示され、前述のインデックス画像が表示される。
【００１５】
そうすると、インデックス画像が表示された状態であっても同一日付に撮影された撮影画像であることがユーザによって簡単に識別される画像再生装置が実現される。
【００１６】
ここで、撮影日付が同一の撮影画像を一括して指定してその撮影日付が同一の撮影画像に同一の処理を施す一括操作部を備えた態様であることが好ましく、その一括操作部は、指定した、撮影日付が同一の撮影画像を一括して消去する処理を施すものであっても、その一括操作部は、指定した、撮影日付が同一の撮影画像を一括して消去不能にプロテクトする処理を施すものであっても、指定した、撮影日付が同一の撮影画像を一括してプリント予約するものであっても良い。
【００１７】
そうすると、ユーザは撮影日付ごとに撮影画像を消去することも、また消えると困る撮影画像を消去不能にプロテクトすることも、さらに撮影日付が同一の撮影画像をプリント予約して自分の欲しい撮影日付の撮影画像を写真プリントすることも個別にではなく一括して行なえるようになる。
【００１８】
また、上記サムネイル画像表示部により上記表示画面上に配列表示された複数のサムネイル画像の中から任意のサムネイル画像を選択する選択操作部と、
上記表示画面上に、上記選択操作部により選択されたサムネイル画像に対応する撮影画像を表示する撮影画像表示部とを備え、
上記撮影画像表示部が、上記選択操作部により選択されたサムネイル画像に対応する撮影画像を、そのサムネイル画像を囲う表示枠の色と同一色の表示枠で囲って表示するものであることが好ましい。
【００１９】
そうすると、インデックス画像の中から選択操作部により選択されたサムネイル画像に対応する撮影画像がサムネイル画像の表示枠の色と同一色の表示枠で囲われて表示されユーザは撮影日付を表示枠の色で確認することができるようになる。
【００２０】
このようにしておいて、さらに表示画面上に表示される撮影画像を順次コマ送りするコマ送り撮影部を備え、
上記撮影画像表示部は、コマ送りにより上記表示画面上に新たに表示する撮影画像をその撮影画像の撮影日付に応じた色の表示枠で囲って表示するものであると、
上記コマ送り撮影部によりコマ送りを行なっている時においてもコマ送りにより各コマの表示枠の表示色が撮影日付ごとに変わるので撮影日付が同一であるか、異なるものであるかの識別を表示枠の色で簡単に行なうことができるようになる。
【発明の効果】
【００２１】
以上、説明したように、インデックス画像が表示された状態であっても同一日付に撮影された撮影画像であることがユーザによって簡単に識別される画像再生装置が実現される。
【発明を実施するための最良の形態】
【００２２】
以下図面を参照して本発明の実施の形態を説明する。
【００２３】
図２は本発明の画像再生装置の一実施形態であるデジタルカメラの外観を示す図である。
【００２４】
図２（ａ）は正面図、（ｂ）は上面図、（ｃ）は側面図、（ｄ）は背面図であり、図２（ｅ）は電源が未投入でレンズバリアが撮影レンズ前面を覆っている状態を示す図である。
【００２５】
図２（ａ）〜（ｃ）に示す撮影レンズ１０１からカメラ１００内部に配備されている固体撮像素子まで被写体の像が導かれるようになっている。なお、図２（ａ），図２（ｃ）には電源が投入され、撮影レンズ１０１が繰り出された後のカメラの外観が示されているが、図２（ｂ）の脇の図２（ｅ）には電源が投入される前、レンズ１０１前面がレンズバリア１０１ａに覆われている状態も示されている。電源が投入されると、この図２（ｅ）の状態からレンズバリア１０１１が開放されて、図２（ａ）、図２（ｃ）に示すように撮影レンズ１０１が繰り出されて撮影準備が整えられる。
【００２６】
このデジタルカメラ１００ではユーザに自在に撮影を行なわせるため、図２（ｄ）に示すデジタルカメラ１００の背面に多数の操作子が設けられている。その多数の操作子の中には、このデジタルカメラ１００を作動させるための電源投入用のパワースイッチ１０２、撮影モードと再生モードとを切替自在にする撮影・再生モード切替レバー１０３、十字キー１０４、メニュー／ＯＫ釦１０５ａ、バック釦１０５ｂ、撮影モードを指定するモードダイヤル１０６、フラッシュ１２０をポップアップさせるポップアップスイッチ１０８などがある。
【００２７】
撮影・再生モード切替レバー１０３により撮影モード１０３ａが選択され、このデジタルカメラ１００の上面にあるレリーズ釦１０７が操作されると、撮影の開始指示がデジタルカメラ１００内部の信号処理部へと伝えられ、撮影処理がデジタルカメラ１００内部で行なわれる。また、このデジタルカメラ１００には、マイク１００２（図２（ａ）やそのマイク１００２で収録された音声を再生するためのスピーカ１００３（図２（ｄ））も配備されており、動画像を撮影する場合などにおいては、被写体側の音声をマイク１００２で収録してその収録した音声を画像データに関連づけて記録することもでき、またその記録した動画像データに基づく動画像を音声とともに再生することもできる。
【００２８】
また、デジタルカメラ１００背面側にはスルー画像を表示するためのＬＣＤモニタ１０９ａが設けられており、このＬＣＤモニタ１０９ａ上には、このデジタルカメラ１００に行なわせる動作をユーザに選択させる選択メニューなども表示される。なお、このＬＣＤモニタ１０９ａをファインダとして使用しフレーミングを行なうことも、図２（ａ）に示す直視型のファインダ１００１を使用してフレーミングを行なうこともできる。
【００２９】
また、撮影・再生モード切替レバー１０３が再生モード１０３ｂに切り替えられると、記録メディア１４０に記録されている画像データのいずれかが読み出されてその画像データに基づく画像がＬＣＤモニタ１０９ａに表示される。本実施形態のデジタルカメラには選択メニューの中の画像検索という項目が付加されていてこの‘画像検索’が選択されていると、図１に示すようなインデックス画像と枠状のカーソルが表示されるようにもなっている。
【００３０】
さらに、図２（ｃ）に示すカメラ側面には、外部機器との接続用にＴＶモニター端子１００４、ＵＳＢ端子１００５、ＤＣＩＮ端子１００６がそれぞれ設けられており、これらの端子１００４〜１００６に専用のケーブルを接続すると、外部機器とこのデジタルカメラを接続することができる。例えばＴＶモニタ端子１００４を用いてこのデジタルカメラとＴＶモニタを接続すると、デジタルカメラ内に記録されている画像データに基づく画像をＴＶモニタ上に表示することができ、またＵＳＢ端子１００５を用いてこのデジタルカメラとパーソナルコンピュータ（以下ＰＣという）を接続すると、ＰＣの表示画面上に画像を表示することもできる。なおＤＣＩＮ端子１００６に外部電源を接続してデジタルカメラ内部の電池ではなく外部電源から供給される電力によってこのデジタルカメラ１００を動作させることもできる。
【００３１】
図３はデジタルカメラ１００の内部構成を示す図である。
【００３２】
このデジタルカメラ１００の動作は統括的にＣＰＵ１１００により制御される。このＣＰＵ１１００内にはＲＯＭが内蔵されており、その内蔵されたＲＯＭ内にプログラムが格納されている。このプログラムの手順にしたがってデジタルカメラ１００全体の動作がＣＰＵ１１００により制御される。図３（ｄ）に示す電源スイッチ１０２、撮影・再生モード切替レバー１０３、さらにメニュー／ＯＫボタンなどを含むキースイッチ１０４〜１０８がこのＣＰＵ１１００にすべて接続されており、それらのスイッチのうちいずれかが操作されるとＣＰＵ１１００に操作信号が入力される。
【００３３】
まず、電源スイッチ１０２が投入されると、ＣＰＵ１１００により電源スイッチ１０２が投入されたことが検知され、図２（ｅ）に示すレンズバリア１０１１が開放され、図２（ｃ）に示すように撮影レンズ１０１が繰り出される。このときには、撮影レンズ１０１を繰り出す前にバリアセンサ１０１１ａの出力が変化したことをＣＰＵ１１００で検出した後、撮影レンズ１０１が繰り出される。このように撮影レンズ１０１が繰り出されたら、撮影処理又は再生処理がＣＰＵ１１００により開始される。ＣＰＵ１１００は、電源が投入されたときに撮影・再生モード切替レバー１０３の切替位置を検知して、その検知した切替位置が撮影モード１０３ａであったら撮影処理を開始して画像再生処理回路に指示してスルー画像をＬＣＤモニタ１０９ａ上に表示させ、切替位置が再生モード１０３ｂであったら記録メディア１４０に記録されている画像データをメディアコントロール回路１１５に読み出させさらにバスを介して画像再生処理回路１１７にその画像データを供給させている。この画像再生処理回路１１７に、画像データを表示用画像データへ変換する処理を行なわせ、さらにその表示用画像データをＬＣＤドライブ回路１０９へ供給させ、そのＬＣＤドライブ回路１０９にＬＣＤモニタを駆動させてその画像データに基づく画像をＬＣＤモニタ上に表示させている。
【００３４】
ここで、撮影処理について図３を参照して動作を簡単に説明しておく。
【００３５】
ＣＰＵ１１００は、モード切替レバー１０３が図３に示すように撮影モード１０３ａに切り替えられていることを検知して撮影処理を開始し、ＣＣＤ１１０に結像されている被写体を表わす画像データを所定の間隔ごとにＣＤＳＡＭＰ１１１に出力させる。この所定の間隔ごとに出力される画像データを、Ａ／Ｄ変換部１１２以降の信号処理段で処理してスルー画像を得て、そのスルー画像をＬＣＤモニタ１０９ａに表示させている。そうすると、撮影レンズ１０１が捉えた範囲の被写体があたかも動画像のようになってＬＣＤモニタ１０９ａ上に表示される。
【００３６】
このＬＣＤモニタ１０９ａ上に表示されているスルー画像に基づいてユーザによって任意にフレーミングが行なわれ撮影が行なわれるため、このデジタルカメラ１００を向けた方向の被写体がすぐにスルー画像として表示されるように、ＡＦ検出回路１３０で常に合焦点位置を検出して撮影レンズ１０１の中のフォーカスレンズ１０１ａをピント調整機構により合焦点位置に移動させている。このピント調整機構は、フォーカスレンズ１０１ａと、ＡＦ検出回路１３０の合焦点位置の検出結果に基づいてそのフォーカスレンズ１０１ａを駆動するモータ１０１ｃと、そのモータ１０１ｃによりフォーカスレンズ１０１ａを移動させるリードスクリュー（図示せず）、そのリードスクリューの回転により移動したフォーカスレンズ１０１ａの位置を検出するセンサ１０１ｂなどからなる。
【００３７】
また、このピント調整機構でのピント調整のほか、ＡＥ＆ＡＷＢ検出部１３１によって被写界輝度を検出して、小絞、あるいは開放絞り（図示せず）を切り替えて設定したり、ホワイトバランス調整のため、Ｒ、Ｇ、Ｂの各色信号のゲインを調整したりして、鮮明なスルー画像をＬＣＤモニタ１０９ａ上に表示させるようにもしている。ユーザはこのスルー画像を見ながらフレーミングを行い、シャッタチャンスにレリーズ操作を行なう。
【００３８】
レリーズ釦１０７が押下されレリーズ操作が行なわれたら、ＣＰＵ１１００は、ＣＣＤ１１０にレリーズ操作時の画像を結像させるため、タイミングジェネレータ（図示せず）からＣＣＤ１１０にタイミング信号を供給させる。このタイミング信号はＣＣＤ１１０に露光開始および露光終了を告げるものでありいわゆるシャッタスピードに相当する。ＣＰＵ１１００はこの露光終了時にＣＣＤ１１０から画像データ（ＲＧＢの光の３原色Ｒ，Ｇ、Ｂからなる）を出力させ、その出力させた画像データが後段のＣＤＳＡＭＰ１１１に供給される。ＣＤＳＡＭＰ１１１では、ＣＣＤ１１０から出力された画像データの雑音の低減が行なわれその雑音が低減された画像データがＡ／Ｄ変換部１１２に供給される。このＡ／Ｄ変換部１１２でデジタル信号に変換されたＲＧＢからなる画像データが画像信号処理回路１１３に供給され、この画像信号処理回路１１３でＲＧＢ信号からＹＣ信号への変換が行なわれる。さらにこのＹＣ信号が圧縮伸張処理回路１１４に供給され圧縮されてメディアコントロール回路１１５を介してその圧縮された画像データが記録メディア１４０に画像ファイルとして記録される。なお、この画像ファイルには、撮影画像を表す画像データのほか、画像データを圧縮したときの圧縮に関する情報や撮影日付などの撮影情報がヘッダ情報として記録されている。また本実施形態では記録メディア１４０として可搬型メモリであるメモリカードが用いられている。以降記録メディアと記載されている場合にはその可搬型メモリを指すものとする。
【００３９】
また、このデジタルカメラ１００には撮影モードを指定する撮影モードダイヤル１０６が配備されており、そのモードダイヤル１０６で指定することができる撮影モードの中には動画像撮影モードもある。この撮影モードダイヤル１０６で動画撮影モードが指定されている場合には、動画像に基づく動画像データのほかその動画像とともに音声データも記録される。この音声データは、動画像を撮影しているときにマイク１００２を経由して収録される音声であり、そのマイク１００２で収録された音声が音声データとなって音声処理回路１１６に供給され、この音声処理回路１１６でスピーカ１００３に適した音声データに変換される。
【００４０】
ＣＰＵ１１００では、この音声データが動画像撮影中のものであると判断した場合には、その音声データと動画像データとを関連付けて、動画像データファイルとして記録メディア１４０に記録する。
【００４１】
このような撮影機能を持っているデジタルカメラが備える画像再生装置の動作を説明する。
【００４２】
このデジタルカメラが備える画像再生装置の動作は、デジタルカメラと同様、ＣＰＵ１１００により統括的に制御される。ＣＰＵ１１００は、撮影・再生モード切替レバー１０３が再生１０３ｂ側に切り替えられたことを検知したら、記録メディア１４０内に記録されている画像データをメディアコントロール回路１１５により読み出させ、圧縮・伸張処理回路１１４で伸張処理を行なった画像データを画像再生処理回路１１７に供給させる。この画像再生処理回路１１４では、伸張された画像データにＬＣＤモニタにあった処理を施してからその処理を施した画像データをＬＣＤドライブ回路１０９に出力する。ＬＣＤドライブ回路１０９ではその画像データを受けてＬＣＤモニタ１０９ａを駆動し、画像データに基づく撮影画像をＬＣＤモニタ１０９ａ上に再生表示する。
【００４３】
本実施形態のデジタルカメラにおいては、ＣＰＵ１１００が画像再生処理回路１１７さらにＬＣＤドライブ回路１０９に再生表示を行なわせるにあたって、画面いっぱいに画像データに基づく画像を再生表示させるか、もしくは画像検索が行ない易いように複数のサムネイル画像を配列表示させるかを‘選択メニュー’により選択することができるようにしてある。もしも撮影者が、選択メニューの中の項目の一つである‘画像検索’を選択していた場合には、ＬＣＤモニタ１０９ａ上に図１に示すような複数のサムネイル画像が配列表示されているインデックス画像が表示される。
【００４４】
また、選択メニューの中には‘ユーザ設定’の選択項目もあり、その選択項目が十字キーにより選択されると、図４に示すユーザ設定画面がＬＣＤモニタ上に表示されるようにもなっている。
【００４５】
図４は、‘ユーザ設定’が選択された場合にＬＣＤモニタ上に表示されるユーザ設定画面を示す図である。
【００４６】
図４（ａ）には、ユーザ設定画面が示されており、また図４（ｂ）には、図４（ａ）の選択項目の中の‘画像ファイルの分類単位の設定’が選択されたときにページ切替により表示される‘画像ファイルの分類単位のユーザ設定’画面が示されている。さらに、図４（ｂ）のＬＣＤモニタ上に表示されている内容から十字キーにより例えば‘月単位’が選択されてＯＫボタンが押されたら、図４（ｃ）に示すように月単位を１，２，３…という数値で入力する数値入力用の設定画面に切り替わるようになっている。この画面により撮影日付の分類単位がユーザにより設定されたら、設定された分類単位の期間ごとに異なる表示色の表示枠を持つサムネイル画像からなるインデックス画像が表示されるようになっている（図５参照）。
【００４７】
図５は、撮影日付に応じて異なる色の表示枠で各サムネイル画像を囲んで配列表示したインデックス画像とそのインデックス画像の中のいずれかのサムネイル画像が十字キーにより指定されたときに指定されたサムネイル画像に対応して表示された撮影画像を示す図である。なお撮影日付が同一であるサムネイル画像の表示枠が同じ表示色であることを示すため、図５には同一表示色の表示枠を同一ハッチングで示してある。
【００４８】
図５（ａ）に示すインデックス画像においては、サムネイル画像に対応する撮影画像の撮影月（上記設定画面により単位として１カ月が設定されたとする）ごとに異なる表示色の表示枠（同一ハッチングで囲まれているものが同一表示色である）で囲まれたサムネイル画像が各々表示され、さらにそのインデックス画像の中のいずれかのサムネイル画像（図中Ａ）が十字キーにより選択されＯＫボタンが押されたら、図５（ｂ）に示すようにその選択されたサムネイル画像に対応する撮影画像がその表示色と同一の表示色の枠（図中Ａのサムネイル画像の表示枠と同一色であることを示すため、図５（ａ）中符号Ａで示すサムネイル画像の表示枠と同一のハッチングを付してある）で囲まれて表示される。また、図５（ｂ）の状態で十字キーが操作されるとコマ送りが開始されて撮影画像が次々と表示されるようにもなっており、そのコマ送りが行われるときには撮影画像の送りに応じてサムネイル画像の表示枠と同じ色の表示枠で撮影画像が囲まれて次々と表示されるようにもなっている。
【００４９】
このようにインデックス画像においてもコマ送り画像においても表示枠の表示色によって撮影日付が同じであるか否かがユーザによってすぐに識別される。
【００５０】
図６は、ＣＰＵがインデックス画像の表示を行なうときの処理手順を示すフローチャートである。
【００５１】
ステップＳ６０１でインデックス画像を表示するためにインデックス画像内の各サムネイル画像に対応する撮影画像の撮影日付を参照する。前述したように記録メディア内に記録されている画像ファイルのヘッダ部には撮影日付などの撮影情報が記録されているので、そのヘッダ情報の中の撮影日付を参照する。
【００５２】
ステップＳ６０２へ進み、図４の設定画面により設定された単位ごとに画像ファイルごとに分類してステップＳ６０３でその分類された画像ファイルごとに表示枠の色を割り当てる。たとえば月毎であれば月毎に異なる色（黒、茶、赤、橙、…）といったように色を割り当てていく。
【００５３】
そして、ＣＰＵ１１００は、画像再生処理回路１１７に画像ファイルのファイルネームと表示枠の色情報などを指示して、ステップＳ６０４で画像再生処理回路１１７からＬＣＤドライブ回路１０９にデータを転送させさらにＬＣＤドライブ回路１０９にインデックス画像の表示を行なわせる。次のステップＳ６０５へ進んでインデックス画像の中のいずれかのサムネイル画像の選択が十字キーおよびＯＫボタンにより行なわれたかどうかを判定する。十字キーによりサムネイル画像が選択されＯＫボタンが押されていたらＹｅｓ側に進みステップＳ６０６で選択されたサムネイル画像に対応する撮影画像を表示するとともにその撮影画像をサムネイル画像の表示枠と同じ表示色で囲んで表示する。なお、ＬＣＤモニタ上のバックグラウンドの色を変えても撮影画像を囲んで表示するのと同様の効果が得られるのでステップＳ６０６にはバックグランドの表示色をサムネイル画像の表示色にして表示すると記載してある。
【００５４】
さらに次のステップＳ６０７へ進み十字キーの操作の有無を判定する。ステップＳ６０７で十字キーが操作されていると判定した場合には、有側に進み次コマＳ６０８へのコマ送りを画像再生処理回路１１７に行なわせる。コマ送りしたらステップＳ６０７へ戻って十字キーの操作の有無を再度判定してまだ操作され続けていると判定した場合には有側に進みステップＳ６０８で次のコマへのコマ送りを行ってステップＳ６０７へ戻りステップＳ６０７とステップＳ６０８の処理を繰り返し行なう。ステップＳ６０７で十字キーが操作されていないと判定したら無側に進みステップＳ６０９で画像再生処理回路１１７に指示してコマ送りを停止させてＬＣＤモニタ上に表示されている撮影コマを表示したままにしてこのフローの処理を終了する。
【００５５】
このように、ＣＰＵ１１００と画像再生処理回路１１７とＬＣＤドライブ回路１０９とＬＣＤ１０９ａとが、本発明にいうところの、表示画面ここではＬＣＤモニタ上に、記録メディアに記録された複数の撮影画像のサムネイル画像を、各サムネイル画像を表示枠で囲んで配列表示するとともに、撮影画像に対応づけられた撮影日付に応じて異なる色の表示枠で各サムネイル画像を囲んで配列表示するサムネイル画像表示部にあたる。また、ＬＣＤモニタ上に配列表示された複数のサムネイル画像の中から任意のサムネイル画像を選択する選択操作部が十字キーにあたり、その十字キー１０４により選択されたサムネイル画像に対応する撮影画像をＬＣＤモニタ１０９ａ上に表示する撮影画像表示部もＣＰＵ１１００と画像再生処理回路１１７とＬＣＤドライブ回路１０９とＬＣＤモニタ１０９ａとで構成される。この撮影画像表示部でもあるＣＰＵ１１００と画像再生処理回路１１７とＬＣＤドライブ回路１０９とＬＣＤ１０９ａとが、十字キー１０４により選択されたサムネイル画像に対応する撮影画像を、そのサムネイル画像を囲う表示枠の色と同一色の表示枠で囲って表示する。
【００５６】
以上説明したように、インデックス画像が表示された状態であっても同一日付に撮影された撮影画像であることがユーザによって簡単に識別される画像再生装置が実現される。
【００５７】
またこのデジタルカメラはユーザの使い勝手を考えて一括処理が行なえるモードを多数用意してユーザニーズに応えようとしているのでそれらのモードにどのようなものがあるかを説明しておく。
【００５８】
このデジタルカメラでは、記録メディアの容量を活用するための消去モードや記録メディア内の撮影画像を写真プリントする際のプリント予約を行なうためのＤＰＯＦモードを備えている。さらに、消去モードによって撮影画像が誤って消去されると困るので撮影画像をプロテクトするプロテクトモードも備えている。
【００５９】
図７は、それらのモードを選択する選択画面を示す図である。図７にはプロテクトモードが指定された場合の展開画面が示されている。また図８も、モードを選択する選択画面を示す図であり、図８には消去モード、ＤＰＯＦモードが指定された場合の各展開画面がそれぞれ示されている。
【００６０】
図７に示すように、このデジタルカメラでは、図２（ｄ）に示すメニューボタンが押されると、多数の選択項目を持つ選択メニュー画面がＬＣＤモニタ上に表示されるようになっている。図７には、本実施形態のデジタルカメラが備える特徴的なモードであるＤＰＯＦモードと、消去モードと、プロテクトモードを抜粋して示してある。
【００６１】
図７の画面で、例えばプロテクトモードが指定されると、図７（ｂ）に示す選択画面に切り替わり、さらにその選択画面中の‘同一表示色の枠を持つサムネイル画像をプロテクトする’が選択されＯＫボタンが押された場合には、図７（ｃ）に示す数値入力用の設定画面に切り替わる。ここで例えば数値９が入力されると、その数値９に対応する白色の表示枠で囲まれて表示されているサムネイル画像に対応する撮影画像が一括して消去されないようにプロテクト処理される。他のモードの場合も同様に指定された表示色の表示枠で囲まれているサムネイル画像に対応する撮影画像に対して一括して処理が行なわれる。
【００６２】
図８には、他のモードである消去モード，ＤＰＯＦモードそれぞれについても同様の表示画面が表示されることが示されている。
【００６３】
このようにしておくと、同一色の表示枠で表示されている、撮影日付が同一の撮影画像を一括して指定してすることができ、さらにその指定を受けたＣＰＵ１１００は撮影日付が同一の撮影画像に対して同一の処理例えば一括消去処理などを施すことができる。このような選択画面や設定画面をＬＣＤモニタ上に表示するとともに操作によりページ切り替えを行なった選択画面や設定画面をＬＣＤモニタ上に表示するときに切替指示や表示指示を行なうＣＰＵやその切替指示や表示指示を受けてＬＣＤモニタ上に選択画面や設定画面を表示する画像再生処理回路１１７およびＬＣＤドライブ回路１０９ａさらにＣＰＵ１１００に指示を与える十字キー１０４やＯＫボタンが本発明にいう一括操作部にあたる。
【００６４】
以上説明したように、インデックス画像が表示された状態であっても同一日付に撮影された撮影画像であることがユーザによって簡単に識別されることに加え、一括操作によって消去やプロテクト、ＤＰＯＦ処理が簡単に行なえるデジタルカメラが実現される。
【図面の簡単な説明】
【００６５】
【図１】インデックス画像を示す図である。
【図２】本発明の一実施形態であるデジタルカメラの外観を示す図である。
【図３】図２のデジタルカメラ１００の内部構成を示す図である。
【図４】そのユーザ設定が選択された場合に表示画面上に表示されるユーザ設定画面を示す図である。
【図５】撮影日付に応じて異なる色の表示枠で各サムネイル画像を囲んで配列表示した、すなわちインデックス画像を示す図である。
【図６】ＣＰＵがインデックス画像の表示を行なうときの処理手順を示すフローチャートである。
【図７】複数のモードのうちのいずれかを選択することができる選択画面を示す図であって、さらにその複数のモードの中のプロテクトモードが十字キーおよびＯＫボタンにより指定されたときに表示画面上に表示される展開画面を示す図である。
【図８】複数のモードのうちのいずれかを選択することができる選択画面を示す図であって、さらにその複数のモードの中の消去モードもしくはＤＰＯＦモードが十字キーおよびＯＫボタンにより指定されたときに表示画面上に表示される展開画面を示す図である。
【符号の説明】
【００６６】
１００    デジタルカメラ
１００１    ファインダ
１００２    マイク
１００３    スピーカ
１００４    ＴＶモニタ端子
１００５    ＵＳＢ端子
１００６    ＤＣ入力端子
１０１    撮影レンズ
１０１１    ホームポジションセンサ
１０１２    モータ
１０１３    ドライバ
１０１ａ    レンズバリア
１０１ｂ    バリアセンサ
１０１ｃ    モータ
１０１ｄ    ドライバ
１０２    電源スイッチ
１０３    撮影・再生モード切替レバー
１０３ａ    撮影モード
１０３ｂ    再生モード
１０４    十字キー
１０５ａ    ＯＫ釦
１０５ｂ    バック釦
１０６    撮影モードダイヤル
１０７    レリーズ釦
１０８    ポップアップスイッチ
１０９    ＬＣＤドライブ回路
１０９ａ    ＬＣＤモニタ
１１００    ＣＰＵ
１１０    ＣＣＤ
１１１    ＣＤＳＡＭＰ
１１２    Ａ／Ｄ変換部
１１３    画像信号処理回路
１１４    圧縮・伸張処理回路
１１５    メディアコントロール回路
１１６  音声処理回路
１１６ａ    音声再生回路
１１７    画像再生処理回路
１１８    ビデオエンコード回路
１２０    ポップアップフラッシュ
１３０    ＡＦ検出回路
１３１    ＡＥ＆ＡＷＢ検出回路
【図１】
2006140732.tif 000003
【図２】
2006140732.tif 000004
【図３】
2006140732.tif 000005
【図４】
2006140732.tif 000006
【図５】
2006140732.tif 000007
【図６】
2006140732.tif 000008
【図７】
2006140732.tif 000009
【図８】
2006140732.tif 000010